(57)【要約】      （修正有）【課題】配送ミスを皆無にする配送宛て先シール印刷装置、および配送宛て先シールに関する。【解決手段】配送宛て先シール記憶手段は、配送宛て先シールを印刷する際に、見た瞬間に異なる色および／または記号であることを認識できるように配置するためのデータが記憶されている。前記配送宛て先シール記憶手段は、配送宛て先シールの地紙データが多数印刷できるようにデータとして記憶されている。配送宛て先シール選択手段は、前記配送宛て先シール記憶手段に記憶された異なる配送宛て先シールをその日の順番ごとに選択する。前記選ばれた配送宛て先シールは、入力手段によって前記荷物に対する送り主、送り先等の所定事項が入力される。印刷手段は、前記選択された配送宛て先シールの地紙データ、および、前記入力手段によって入力された所定事項を前記選択された配送宛て先シールに印刷する。【選択図】図１
2012066445.tif 000002
【特許請求の範囲】
【請求項１】
配送宛て先シールが貼られている荷物を正確に配送先に配送できる配送宛て先シール印刷装置において、
見た瞬間に異なる色および／または記号であることを認識できるように配置するための前記配送宛て先シール地紙データが記憶されている配送宛て先シール記憶手段と、
前記配送宛て先シール記憶手段に記憶された異なる配送宛て先シール地紙データを順次選択する配送宛て先シール選択手段と、
前記選択された配送宛て先シールに前記荷物に対する所定事項入力する入力手段と、
前記入力手段によって入力された所定事項を前記選択された配送宛て先シールに印刷する印刷手段と、
を少なくとも備えていることを特徴とする配送宛て先シール印刷装置。
【請求項２】
前記配送宛て先シールは、地紙が少なくとも一つの色からなる領域が組み合わせで印刷されていることを特徴とする請求項１に記載された配送宛て先シール印刷装置。
【請求項３】
前記配送宛て先シールは、地紙領域が縦線、横線、斜線のいずれかによって区切られて印刷されていることを特徴とする請求項１または請求項２に記載された配送宛て先シール印刷装置。
【請求項４】
前記配送宛て先シールは、前記色の領域に記号が付け加えられて印刷されていることを特徴とする請求項１から請求項３のいずれか１項に記載された配送宛て先シール印刷装置。
【請求項５】
前記配送宛て先シールは、前記色の領域のほぼ全面に個数が付け加えられて印刷されていることを特徴とする請求項１から請求項４のいずれか１項に記載された配送宛て先シール印刷装置。
【請求項６】
前記配送宛て先シールは、同じ日または同じ便の荷物に同じ模様が印刷されないように制御されていることを特徴とする請求項１から請求項５のいずれか１項に記載された配送宛て先シール印刷装置。
【請求項７】
前記配送宛て先シールは、個数（口数）が記載されている領域の色をその他の色と異なるようにすることを特徴とする請求項１から請求項６のいずれか１項に記載された配送宛て先シール印刷装置。
【請求項８】
請求項１から請求項７のいずれか１項に記載された配送宛て先シール印刷装置によって印刷されていることを特徴とする配送宛て先シール。
【発明の詳細な説明】
【技術分野】
【０００１】
本発明は、配送宛て先シールを色および／または記号分けと、個数（口数）を表示することにより、配送ミスを皆無にする配送宛て先シール印刷装置、および配送宛て先シールに関するものである。また、本発明は、配送中に一つだけが、他の荷物と一緒に紛れ込みによる配送遅れを無くす配送宛て先シール印刷装置、および配送宛て先シールに関するものである。
【背景技術】
【０００２】
特開２００９−１５７６１９号公報における電子荷札は、荷物と共に配置されるものであり、前記荷物の物理量を計測するデータ計測手段と、所定の推定計測値と、前記データ計測手段で計測された実際の物理量の計測値との差分値を計算し、当該差分値を送出するデータ削減手段と、前記データ削減手段から送出された差分値を前記物理量の計測結果として送出するデータ送信手段とを備えている。前記電子荷札は、所定の推定計測値と実際の計測値との差分値を物理量の計測結果として送出するようにしたので、データ送信のための時間および送信電力を低減することができ、電子荷札としての小型化を図ることができる。
【先行技術文献】
【特許文献】
【０００３】
【特許文献１】特開２００９−１５７６１９号公報
【発明の開示】
【発明が解決しようとする課題】
【０００４】
前記特開２００９−１５７６１９号公報に記載された電子荷札は、荷物の物理量を計測することにより、データ送信のための時間および送信電力を低減するものである。物流は、幹線部分における機械化が進んでいるが、集配の末端では必ずしも機械化、電子化が進んでいない。特に、集荷は、中小運輸会社で集められる場合が多い。前記集められた荷物は、所定事項が印刷された配送宛て先シールが貼られ、相手方に送られる。前記荷物は、１個口の場合、配送宛て先シールの記載ミスがない限り、宛て先に配達される。
【０００５】
しかし、前記荷物は、１個口に限らず、個数が変わる場合が多い。また、前記荷物は、複数の運送会社を経由して宛先人に配達される場合も多い。このような場合、前記荷物は、多数口の中の一つが間違えて積み替えられる場合が多い。間違えられた荷物は、配送宛て先に配達される直前になって、個数が足りないことに気づき、配送データを辿り、個数を合わせた後、配送宛て先に送られる。このようなミスは、運輸会社を複数経由して配達される場合に多く、正しく配達するために、多くの労力がかかっている。前記荷物は、どのような機械化が進んでも、受け付け、および、届け等の人間の行為が関わる。
【０００６】
以上のような課題を解決するために、本発明は、荷物の集配に人間が関与した場合、間違いが起こらないような配送宛て先シール印刷装置および配送宛て先シールを提供することを目的とする。本発明は、集荷の初期段階、あるいは配送の途中で、個数の不足が発生しないような配送宛て先シール印刷装置および配送宛て先シールを提供することを目的とする。本発明は、配送宛て先シールに印刷されている色、記号、個数（口数）、あるいはこれらの組み合わせにより、宛先により一目瞭然で、間違う確率をできるだけ少なくすることができる配送宛て先シール印刷装置および配送宛て先シールを提供することを目的とする。
【課題を解決するための手段】
【０００７】
（第１発明）
第１発明の配送宛て先シール印刷装置は、配送宛て先シールが貼られている荷物を正確に配送先に配送できるものであり、見た瞬間に異なる色および／または記号であることを認識できるように配置するための前記配送宛て先シール地紙データが記憶されている配送宛て先シール記憶手段と、前記配送宛て先シール記憶手段に記憶された異なる配送宛て先シール地紙データを順次選択する配送宛て先シール選択手段と、前記選択された配送宛て先シールに前記荷物に対する所定事項入力する入力手段と、前記入力手段によって入力された所定事項を前記選択された配送宛て先シールに印刷する印刷手段とを少なくとも備えていることを特徴とする。
【０００８】
（第２発明）
第２発明の配送宛て先シール印刷装置において、前記配送宛て先シールは、地紙が少なくとも一つの色からなる領域が組み合わせで印刷されていることを特徴とする。
【０００９】
（第３発明）
第３発明の配送宛て先シール印刷装置において、前記配送宛て先シールは、地紙領域が縦線、横線、斜線のいずれかによって区切られて印刷されていることを特徴とする。
【００１０】
（第４発明）
第４発明の配送宛て先シール印刷装置において、前記配送宛て先シールは、前記色の領域に記号が付け加えられて印刷されていることを特徴とする。
【００１１】
（第５発明）
第５発明の配送宛て先シール印刷装置において、前記配送宛て先シールは、前記色の領域のほぼ全面に個数が付け加えられて印刷されていることを特徴とする。
【００１２】
（第６発明）
第６発明の配送宛て先シール印刷装置において、前記配送宛て先シールは、同じ日または同じ便の荷物に同じ模様が印刷されないように制御されていることを特徴とする。
【００１３】
（第７発明）
第７発明の配送宛て先シール印刷装置において、前記配送宛て先シールは、個数（口数）が記載されている領域の色をその他の色と異なるようにすることを特徴とする。
【００１４】
（第８発明）
第８発明の配送宛て先シールは、請求項１から請求項７のいずれか１項に記載された配送宛て先シール印刷装置によって印刷されていることを特徴とする。
【発明の効果】
【００１５】
本発明によれば、荷物の宛て先によって、配送宛て先シールの地紙における色および／または記号を異なるようにして、複数個の中の一つが他方の荷物に紛れ込まないようにしている。
【００１６】
本発明によれば、配送宛て先シールにおける口数の表示を色および／または記号により、配送宛て先により異なるようにして、配送ミスを低減することができる。
【００１７】
本発明によれば、縦線、横線、斜線を少なくとも設けることにより、色による模様および記号と組み合わせて、その日の配送宛て先シールに同じものを無くし、視覚的に荷物を分けることが容易にできる配送宛て先シール印刷装置および配送宛て先シールとすることができた。
【図面の簡単な説明】
【００１８】
【図１】本発明の配送宛て先シール印刷装置の概略を説明するためのブロック構成図である。（実施例１）
【図２】本発明の配送宛て先シールの一例を説明するための図である。
【図３】（イ）および（ロ）は本発明の配送宛て先シールの他の例を説明するための図である。
【図４】(1) から(18)は本発明の配送宛て先シールの地の色の例を説明するための図である。
【図５】(1) から(9) は本発明の配送宛て先シールの地の色に記号を付加した例を説明するための図である。
【図６】本発明の配送宛て先シール印刷装置の動作手順の一例を説明するための図である。
【発明を実施するための形態】
【００１９】
（第１発明）
第１発明の配送宛て先シール印刷装置は、配送宛て先シールが貼られている荷物を正確に配送先に配送できるものであり、たとえば、一つ運送会社から他の運送会社に荷を積み替える際に個数の間違いを無くすためのものである。配送宛て先シール記憶手段は、配送宛て先シールを印刷する際に、見た瞬間に異なる色（たとえば、赤、橙、黄、緑、青、藍、紫の隣合った色を避ける、あるいは赤（Ｒ）、緑（Ｇ）、青（Ｂ）に限定）および／または記号であることを認識できるように配置するためのデータが記憶されている。
【００２０】
配送宛て先シールの地紙は、通常配送宛て先シールとして使用されている紙である。配送宛て先シール記憶手段は、配送宛て先シールの地紙データ、たとえば、地の色（白）、色領域、記号等の組み合わせが見易い状態で多数印刷できるようにデータとして記憶されている。前記配送宛て先シール選択手段は、前記配送宛て先シール記憶手段に記憶された異なる配送宛て先シール、顕著に特徴が判る色の違った領域からなるものをその日の順番ごとに（同じ日で同じ色、記号も含めた模様にならないようにする）選択する。
【００２１】
前記選ばれた配送宛て先シールは、入力手段によって前記荷物に対する送り主、送り先等の所定事項が入力される。印刷手段は、前記選択された配送宛て先シールの地紙データ、および、前記入力手段によって入力された所定事項を前記選択された配送宛て先シールに印刷する。前記配送宛て先シールは、顕著な色等による模様、および個数（口数）が明りょうであるため、一個だけが紛れて配達遅れとならないようになっている。また、前記荷物の発送に採用する運送会社は、前記色または記号により、人間の手により仕分けられる場合に、間違いが起こりにくいようにしている。
【００２２】
（第２発明）
第２発明の配送宛て先シール印刷装置は、一つの地紙に対して、白領域と赤領域、白領域と緑領域、黄色領域と青領域、あるいは色の異なる領域の組み合わせがデータとして記憶されている。前記色領域は、色の模様となり、送り先の同じ物が一目瞭然と判るようになっている。前記色領域の模様は、同じ荷物のみを集合し易く、他の荷物が誤って混じることがない。
【００２３】
（第３発明）
第３発明の配送宛て先シール印刷装置は、地紙領域が縦線、横線、斜線のいずれかによって区切られ、その中に異なる色が印刷されている。たとえば、縦線、横線を４個とし、斜線を２にしても、１２個の異なる領域にすることができる。前記領域は、隣合った領域に紛らわしい色を除去しても、４０から５０程度の識別が顕著な配送宛て先シールが印刷できる。
【００２４】
（第４発明）
第４発明の配送宛て先シール印刷装置は、色の領域に記号、たとえば、丸、三角、四角、あるいは商品を連想するマーク、発送先の都市あるいは県のマーク、会社のマーク、商品のマーク（商標）等を重ねて印刷すると、配送先および個数を間違えることがないだけでなく、地紙の種類を多くすることができる。
【００２５】
（第５発明）
第５発明の配送宛て先シール印刷装置は、前記色の領域（無地も色の一つである）のほぼ全面に個数が付け加えられて印刷されている。前記個数の大きな表示は、大きく印刷されているため、荷分け中に目に付き易く、１個だけだが他の商品に紛れ混まない。
【００２６】
（第６発明）
前記配送宛て先シール印刷装置は、同じ日、同じ便、同じ口数の荷物に、同じ模様が印刷されるように制御されている。配送宛て先シールが付けられた同じ行き先の荷物は、同じ日、同じ便、同じ個口に対して、同じ模様を印刷しているため、荷物の仕分け中に、異なる模様の配送宛て先シールの付けられた荷物が入り混じることがない。
【００２７】
（第７発明）
第７発明の配送宛て先シール印刷装置は、個数（口数）が記載されている領域の色をその他の色と異なるようにして、一つの荷物だけが入れ違うことのないようにしている。第７発明の配送宛て先シール印刷装置は、ほぼ全体の模様と個数の色とを異なるようにするため、一番間違え易い個数に注意を喚起するようになっている。
【００２８】
（第８発明）
第８発明の配送宛て先シールは、色の組み合わせ、線、記号の配置、口数の表示等を工夫することで、配送途中によるミスを無くすことができる。
【実施例１】
【００２９】
図１は本発明の配送宛て先シール印刷装置の概略を説明するためのブロック構成図である。図１において、配送宛て先シール印刷装置は、所定事項を入力することができる入力手段１１と、カウンター１２と、配送宛て先シール記憶手段１３と、配送宛て先シール選択手段１４と、配送宛て先シール出力手段１５と、配送宛て先シール印刷手段１６と、得意先登録手段１７と、一時記憶手段１８と、所定事項印刷手段１９とから少なくとも構成されている。
【００３０】
前記入力手段１１は、得意先コード入力手段１１１と、個口指定手段１１２と、宛て先入力手段１１３と、運送会社選択手段１１４とから構成されている。前記得意先コード入力手段１１１は、得意先コードを入力することにより、得意先コードが前記得意先登録手段に登録される。前記個口指定手段１１２は、何個口の１番、２番、・・・等を指定することができる。前記宛て先入力手段１１３は、配送先の住所等を入力することができるだけでなく、得意先と同様に、登録しておくこともできる。
【００３１】
運送会社選択手段１１４は、たとえば、登録または契約している運送会社を選択することができる。前記各入力手段１１に入力された所定事項は、前記一時記憶手段１８に記憶される。前記カウンター１２は、その日における配送宛て先シールの発行数、言い換えると当日の荷物の配送受注数をカウントし、同じ地紙の模様からなる配送宛て先シールを一日に一枚とするためのものである。
【００３２】
前記配送宛て先シール記憶手段１３は、前記配送宛て先シールに印刷する模様の種類を予め記憶している。前記配送宛て先シール選択手段１４は、前記カウンター１２により、異なる地紙模様からなる配送宛て先シールを順次選択する。前記配送宛て先シール出力手段１５は、前記選択された配送宛て先シールを出力する。その後、前記配送宛て先シール印刷手段１６は、選択された模様の地紙が印刷される。前記所定事項印刷手段１９は、前記得意先登録手段１７または一時記憶手段１８に記憶された所定事項を、前記配送宛て先シール印刷手段１６によって印刷された地紙に印刷する。
【００３３】
図２は本発明の配送宛て先シールの一例を説明するための図である。図２において、配送宛て先シール２１は、宛て先の住所、氏名、個数（口数）、配送受付日、配送日、使用運輸会社、送り主の氏名（会社名）がそれぞれ記載されている。なお、図２の配送宛て先シールは、所定事項を印刷する前に、地紙に図４および図５で後述する模様が既に印刷されている。
【００３４】
図３（イ）および（ロ）は本発明の配送宛て先シールの他の例を説明するための図である。図３（イ）の例は、４本の縦線により領域２２１（赤）、２２２（青）、２２３（黄）、２２４（緑）が前記配送宛て先シール印刷手段１６によって予め地紙に印刷されている。また、前記縦線による４つの領域に交差する個数（口数）の領域は、前記赤、青、黄、緑と異なる色が付けられているとともに、口数が印刷されている。すなわち、前記荷物は、１０個口の１番目であることが容易に判り、一つだけが他の荷物に紛れることがない。図３（ロ）において、配送宛て先シール２３は、地紙に４色が印刷されているのみであり、口数が１０個中の２番目であることを表示している。前記口数は、地紙にもっと大きく、判り易く印刷することもできる。
【００３５】
図４(1) から(18)は本発明の配送宛て先シールの地の色の例を説明するための図である。図４(1) から(3) に示す例は、配送宛て先シールの地紙の色が３色の場合である。前記配送宛て先シールは、全面に一色を使用しており、１２色を使用することも可能である。図４(4) から(6) に示す例は、地紙の半分が色で、他の半分が白地である。図４(7) から(9) に示す例は、二色を使用している。
【００３６】
図４(10)から(12)に示す例は、前記縦線の代わりに斜線を用いて領域と色の模様により、見分けが容易にできるようになっている。図４(13)から(18)に示す例は、縦線による領域を１個から４個にし、色も加えることにより、多くの地紙を得ることができる。図４(1) から(18)に示す例は、一部であり、多数の変形を作成することがでる。このような模様は、図１における配送宛て先シール記憶手段に予め記憶されている。
【００３７】
図５(1) から(9) は本発明の配送宛て先シールの地の色に記号を付加した例を説明するための図である。図５(1) から(9) に示す例は、図４に示す地紙の色模様に、記号を付加したものである。前記記号は、丸、三角、四角しか例示していないが、花、鳥、魚、動物、その他、見間違えない模様であれば、これらに限定しない。特に、前記模様は、発送先、荷物に関連するマーク等にすることができる。
【００３８】
図６は本発明の配送宛て先シール印刷装置の動作手順の一例を説明するための図である。図６において、ステップ６１１において、物流会社の担当者は、依頼主から商品の発送依頼を受ける。前記担当者は、前記依頼主が初めてか否かを調べる（ステップ６１２）。前記依頼主が初めての場合、前記担当者は、配送先および依頼主を登録する（ステップ６１３）。前記担当者は、次回に備えて、配送先、および依頼主の氏名、住所等の所定事項をコードにして登録する（ステップ６１４）。
【００３９】
前記担当者は、配送先および依頼主が初めてでないと判断した場合、予め記憶されているコード表に従い、コードを入力する（ステップ６１５）。前記担当者は、今回使用する運輸会社を選択したか否かを調べる（ステップ６１６）。前記担当者は、前記運輸会社を選択していない場合、運輸会社を選択する（ステップ６１７）。前記担当者は、前記運輸会社を選択した後、正しい個口が選択されているか否かを調べる（ステップ６１８）。
【００４０】
前記担当者は、個口が選択されていない場合、個口を選択する（ステップ６１９）。また、前記担当者は、前記荷物が今日初めてのものか否かを調べる（ステップ６２０）。前記担当者は、前記荷物が今日初めてのものであると判断した場合、第１番目の配送宛て先シールを選択する（ステップ６２１）。前記担当者は、次に、前記配送宛て先シールに印刷する所定事項を選択する（ステップ６２２）。前記担当者は、選択された所定事項を印刷装置に印刷させる（ステップ６２３）。
【００４１】
前記ステップ６２０において、前記担当者は、当日、初めての荷物でないと判断した場合、カウンター（図１の符号１２）により、ｎに＋１を加え、予め配送宛て先シール記憶手段１３に記憶されている配送宛て先シールの模様を選択する（ステップ６２４）。前記配送宛て先シールの模様は、カウンター１２により、順次その日の新しいものが選択される。前記選択された配送宛て先シールの模様を印刷するとともに、所定事項を選択する（ステップ６２４）。前記配送宛て先シールの模様が印刷された地紙に前記選択された所定事項が印刷される（ステップ６２３）。
【００４２】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の配送宛て先シール印刷装置におけるブロックに示した手段は、公知または周知のものが使用される。
【符号の説明】
【００４３】
１１・・・入力手段
１１１・・・得意先コード入力手段
１１２・・・個口指定手段
１１３・・・あて先入力手段
１１４・・・運送会社選択手段
１２・・・カウンター
１３・・・配送宛て先シール記憶手段
１４・・・配送宛て先シール選択手段
１５・・・配送宛て先シール出力手段
１６・・・配送宛て先シール印刷手段
１７・・・得意先登録手段
１８・・・一時記憶手段
１９・・・所定事項印刷手段
【図１】
2012066445.tif 000003
【図２】
2012066445.tif 000004
【図３】
2012066445.tif 000005
【図４】
2012066445.tif 000006
【図５】
2012066445.tif 000007
【図６】
2012066445.tif 000008